(57)【要約】【課題】接合される基板同士の水平方向位置を適切に調節し、当該基板同士の接合処理を適切に行う。【解決手段】上ウェハを上チャックの下面で保持し、下ウェハを下チャックの上面で保持した後、上チャックに保持された上ウェハと下チャックに保持された下ウェハとを対向配置する（工程Ｓ１１）。その後、押動部材を下降させ、当該押動部材によって上ウェハの中心部と下ウェハを押圧して当接させる（工程Ｓ１２）。その後、上ウェハの中心部と下ウェハの中心部が当接した状態で、下チャックによる下ウェハの真空引きを停止する（工程Ｓ１３）。その後、上チャックによる上ウェハの外周部の真空引きを停止する（工程Ｓ１４）。その後、上ウェハの中心部から外周部に向けて、上ウェハと下ウェハを順次接合する（工程Ｓ１５）。【選択図】図１５
2015119088.tif 000002
【特許請求の範囲】
【請求項１】
基板同士を接合する接合方法であって、
第１の基板を真空引きして第１の保持部の下面で保持し、第２の基板を真空引きして第２の保持部の上面で保持した後、前記第１の保持部に保持された第１の基板と前記第２の保持部に保持された第２の基板とを対向配置する配置工程と、
その後、前記第１の保持部に設けられ、第１の基板の中心部を押圧する押動部材を下降させ、当該押動部材によって第１の基板の中心部と第２の基板の中心部を押圧して当接させる押圧工程と、
その後、第１の基板の中心部と第２の基板の中心部が当接した状態で、少なくとも第２の基板の中心部以外において前記第２の保持部による第２の基板の真空引きを停止し、第１の基板の中心部から外周部に向けて、第１の基板と第２の基板を順次接合する接合工程と、を有することを特徴とする、接合方法。
【請求項２】
前記接合工程において、少なくとも第２の基板の中心部以外において前記第２の保持部による第２の基板の真空引きを停止した際又はその後、前記第１の保持部による第１の基板の真空引きを停止することを特徴とする、請求項１に記載の接合方法。
【請求項３】
前記接合工程において、第２の基板の中心部以外において前記第２の保持部による第２の基板の真空引きを停止した際、第２の基板の中心部は前記第２の保持部によって保持されていることを特徴とする、請求項１又は２に記載の接合方法。
【請求項４】
第１の基板の径は第２の基板の径より小さいことを特徴とする、請求項１〜３のいずれか一項に記載の接合方法。
【請求項５】
請求項１〜４のいずか一項に記載の接合方法を接合装置によって実行させるように、当該接合装置を制御する制御装置のコンピュータ上で動作するプログラム。
【請求項６】
請求項５に記載のプログラムを格納した読み取り可能なコンピュータ記憶媒体。
【請求項７】
基板同士を接合する接合装置であって、
下面に第１の基板を真空引きして保持する第１の保持部と、
前記第１の保持部の下方に設けられ、上面に第２の基板を保持する第２の保持部と、
前記第１の保持部に設けられ、第１の基板の中心部を押圧する押動部材と、
前記第１の保持部に保持された第１の基板と、前記第２の保持部に保持された第２の基板とを対向配置する配置工程と、その後、前記押動部材を下降させ、当該押動部材によって第１の基板の中心部と第２の基板の中心部を押圧して当接させる押圧工程と、その後、第１の基板の中心部と第２の基板の中心部が当接した状態で、少なくとも第２の基板の中心部以外において前記第２の保持部による第２の基板の真空引きを停止し、第１の基板の中心部から外周部に向けて、第１の基板と第２の基板を順次接合する接合工程と、を行うように前記第１の保持部、前記第２の保持部及び前記押動部材を制御する制御部と、を有することを特徴とする、接合装置。
【請求項８】
前記制御部は、前記接合工程において、少なくとも第２の基板の中心部以外において前記第２の保持部による第２の基板の真空引きを停止した際又はその後、前記第１の保持部による第１の基板の真空引きを停止するように、前記第１の保持部及び前記第２の保持部を制御することを特徴とする、請求項７に記載の接合装置。
【請求項９】
前記制御部は、前記接合工程において、第２の基板の中心部以外において前記第２の保持部による第２の基板の真空引きを停止した際、第２の基板の中心部が前記第２の保持部によって保持されるように、前記第２の保持部を制御することを特徴とする、請求項７又は８に記載の接合装置。
【請求項１０】
第１の基板の径は第２の基板の径より小さいことを特徴とする、請求項７〜９のいずれか一項に記載の接合装置。
【請求項１１】
請求項７〜１０のいずれか一項に記載の接合装置を備えた接合システムであって、
前記接合装置を備えた処理ステーションと、
第１の基板、第２の基板又は第１の基板と第２の基板が接合された重合基板をそれぞれ複数保有可能で、且つ前記処理ステーションに対して第１の基板、第２の基板又は重合基板を搬入出する搬入出ステーションと、を備え、
前記処理ステーションは、
第１の基板又は第２の基板の接合される表面を改質する表面改質装置と、
前記表面改質装置で改質された第１の基板又は第２の基板の表面を親水化する表面親水化装置と、
前記表面改質装置、前記表面親水化装置及び前記接合装置に対して、第１の基板、第２の基板又は重合基板を搬送するための搬送装置と、を有し、
前記接合装置では、前記表面親水化装置で表面が親水化された第１の基板と第２の基板を接合することを特徴とする、接合システム。
【発明の詳細な説明】
【技術分野】
【０００１】
本発明は、基板同士を接合する接合方法、プログラム、コンピュータ記憶媒体、接合装置及び接合システムに関する。
【背景技術】
【０００２】
近年、半導体デバイスの高集積化が進んでいる。高集積化した複数の半導体デバイスを水平面内で配置し、これら半導体デバイスを配線で接続して製品化する場合、配線長が増大し、それにより配線の抵抗が大きくなること、また配線遅延が大きくなることが懸念される。
【０００３】
そこで、半導体デバイスを３次元に積層する３次元集積技術を用いることが提案されている。この３次元集積技術においては、例えば特許文献１に記載の接合システムを用いて、２枚の半導体ウェハ（以下、「ウェハ」という。）の接合が行われる。例えば接合システムは、ウェハの接合される表面を改質する表面改質装置（表面活性化装置）と、当該表面改質装置で改質されたウェハの表面を親水化する表面親水化装置と、当該表面親水化装置で表面が親水化されたウェハ同士を接合する接合装置と、を有している。この接合システムでは、表面改質装置においてウェハの表面に対してプラズマ処理を行い当該表面を改質し、さらに表面親水化装置においてウェハの表面に純水を供給して当該表面を親水化した後、接合装置においてウェハ同士をファンデルワールス力及び水素結合（分子間力）によって接合する。
【０００４】
上記接合装置は、下面に一のウェハ（以下、「上ウェハ」という。）を保持する上チャックと、上チャックの下方に設けられ、上面に他のウェハ（以下、「下ウェハ」という。）を保持する下チャックと、上チャックに設けられ、上ウェハの中心部を押圧する押動部材と、を有している。かかる接合装置では、上チャックに保持された上ウェハと下チャックに保持された下ウェハを対向配置した状態で、押動部材によって上ウェハの中心部と下ウェハの中心部を押圧して当接させた後、上ウェハの中心部と下ウェハの中心部が当接した状態で、上ウェハの中心部から外周部に向けて、上ウェハと下ウェハを順次接合する。
【先行技術文献】
【特許文献】
【０００５】
【特許文献１】特開２０１２−１７５０４３号公報
【発明の概要】
【発明が解決しようとする課題】
【０００６】
しかしながら、特許文献１に記載された方法では、上チャックで上ウェハの外周部を保持した状態で、押動部材によって上ウェハの中心部を下ウェハの中心部側に下降させるので、当該上ウェハは下方に凸に反って伸びる。そうすると、ウェハ同士を接合する際、上ウェハと下ウェハが水平方向にずれて接合される場合がある。例えば接合されたウェハ（以下、「重合ウェハ」という。）において、上ウェハと下ウェハの中心部が合致していても、その外周部では水平方向に位置ずれ（スケーリング）が生じる。
【０００７】
しかしながら、特許文献１に記載された接合システムでは、上記重合ウェハの水平方向の位置ずれを抑制することについては考慮されてない。したがって、従来のウェハ同士の接合処理には改善の余地があった。
【０００８】
本発明は、かかる点に鑑みてなされたものであり、接合される基板同士の水平方向位置を適切に調節し、当該基板同士の接合処理を適切に行うことを目的とする。
【課題を解決するための手段】
【０００９】
前記の目的を達成するため、本発明は、基板同士を接合する接合方法であって、第１の基板を真空引きして第１の保持部の下面で保持し、第２の基板を真空引きして第２の保持部の上面で保持した後、前記第１の保持部に保持された第１の基板と前記第２の保持部に保持された第２の基板とを対向配置する配置工程と、その後、前記第１の保持部に設けられ、第１の基板の中心部を押圧する押動部材を下降させ、当該押動部材によって第１の基板の中心部と第２の基板の中心部を押圧して当接させる押圧工程と、その後、第１の基板の中心部と第２の基板の中心部が当接した状態で、少なくとも第２の基板の中心部以外において前記第２の保持部による第２の基板の真空引きを停止し、第１の基板の中心部から外周部に向けて、第１の基板と第２の基板を順次接合する接合工程と、を有することを特徴としている。
【００１０】
ここで、基板上には複数の半導体デバイスが形成されているため、当該基板に拘束力が作用していない通常状態では、若干程度反ってる。そして、従来においては、保持部（チャック）で基板を吸着して反りを矯正し、基板同士を接合していた。
【００１１】
本発明では、押動部材によって第１の基板の中心部と第２の基板の中心部を当接させた後、少なくとも第２の基板の中心部以外において第２の保持部による第２の基板の真空引きを停止している。このとき、第２の基板の中心部以外の部分において、第２の基板に作用する拘束力が小さくなるため、当該第２の基板が第１の基板側に反る。そうすると、第１の基板と第２の基板が接合される部分において、第１の基板の曲率と第２の基板の曲率の差を小さくでき、第１の基板の伸び量と第２の基板の伸び量の差を小さくすることができる。また第１の基板と第２の基板が接合される部分において、第１の基板と第２の基板には向かい合う接合力（分子間力）が作用する。本発明では、第１の基板の接合力に対する当該第１の基板の伸び方向と、第２の基板の接合力に対する第２の基板の伸び方向の差を小さくすることができる。このため、第１の基板と第２の基板の水平方向の位置ずれを抑制することができる。以上のように本発明によれば、第１の基板と第２の基板の水平方向の位置を適切に調節することができ、当該第１の基板と第２の基板の接合処理を適切に行うことができる。
【００１２】
前記接合工程において、少なくとも第２の基板の中心部以外において前記第２の保持部による第２の基板の真空引きを停止した際又はその後、前記第１の保持部による第１の基板の真空引きを停止してもよい。
【００１３】
前記接合工程において、第２の基板の中心部以外において前記第２の保持部による第２の基板の真空引きを停止した際、第２の基板の中心部は前記第２の保持部によって保持されていてもよい。
【００１４】
第１の基板の径は第２の基板の径より小さくてもよい。
【００１５】
別な観点による本発明によれば、前記接合方法を接合装置によって実行させるように、当該接合装置を制御する制御装置のコンピュータ上で動作するプログラムが提供される。
【００１６】
また別な観点による本発明によれば、前記プログラムを格納した読み取り可能なコンピュータ記憶媒体が提供される。
【００１７】
さらに別な観点による本発明は、基板同士を接合する接合装置であって、下面に第１の基板を真空引きして保持する第１の保持部と、前記第１の保持部の下方に設けられ、上面に第２の基板を保持する第２の保持部と、前記第１の保持部に設けられ、第１の基板の中心部を押圧する押動部材と、前記第１の保持部に保持された第１の基板と、前記第２の保持部に保持された第２の基板とを対向配置する配置工程と、その後、前記押動部材を下降させ、当該押動部材によって第１の基板の中心部と第２の基板の中心部を押圧して当接させる押圧工程と、その後、第１の基板の中心部と第２の基板の中心部が当接した状態で、少なくとも第２の基板の中心部以外において前記第２の保持部による第２の基板の真空引きを停止し、第１の基板の中心部から外周部に向けて、第１の基板と第２の基板を順次接合する接合工程と、を行うように前記第１の保持部、前記第２の保持部及び前記押動部材を制御する制御部と、を有することを特徴としている。
【００１８】
前記制御部は、前記接合工程において、少なくとも第２の基板の中心部以外において前記第２の保持部による第２の基板の真空引きを停止した際又はその後、前記第１の保持部による第１の基板の真空引きを停止するように、前記第１の保持部及び前記第２の保持部を制御してもよい。
【００１９】
前記制御部は、前記接合工程において、第２の基板の中心部以外において前記第２の保持部による第２の基板の真空引きを停止した際、第２の基板の中心部が前記第２の保持部によって保持されるように、前記第２の保持部を制御してもよい。
【００２０】
第１の基板の径は第２の基板の径より小さくてもよい。
【００２１】
また別な観点による本発明は、前記接合装置を備えた接合システムであって、前記接合装置を備えた処理ステーションと、第１の基板、第２の基板又は第１の基板と第２の基板が接合された重合基板をそれぞれ複数保有可能で、且つ前記処理ステーションに対して第１の基板、第２の基板又は重合基板を搬入出する搬入出ステーションと、を備え、前記処理ステーションは、第１の基板又は第２の基板の接合される表面を改質する表面改質装置と、前記表面改質装置で改質された第１の基板又は第２の基板の表面を親水化する表面親水化装置と、前記表面改質装置、前記表面親水化装置及び前記接合装置に対して、第１の基板、第２の基板又は重合基板を搬送するための搬送装置と、を有し、前記接合装置では、前記表面親水化装置で表面が親水化された第１の基板と第２の基板を接合することを特徴としている。
【発明の効果】
【００２２】
本発明によれば、接合される基板同士の水平方向位置を適切に調節し、当該基板同士の接合処理を適切に行うことができる。
【図面の簡単な説明】
【００２３】
【図１】本実施の形態にかかる接合システムの構成の概略を示す平面図である。
【図２】本実施の形態にかかる接合システムの内部構成の概略を示す側面図である。
【図３】上ウェハと下ウェハの構成の概略を示す側面図である。
【図４】接合装置の構成の概略を示す横断面図である。
【図５】接合装置の構成の概略を示す縦断面図である。
【図６】位置調節機構の構成の概略を示す側面図である。
【図７】反転機構の構成の概略を示す平面図である。
【図８】反転機構の構成の概略を示す側面図である。
【図９】反転機構の構成の概略を示す側面図である。
【図１０】保持アームと保持部材の構成の概略を示す側面図である。
【図１１】接合装置の内部構成の概略を示す側面図である。
【図１２】上チャックと下チャックの構成の概略を示す縦断面図である。
【図１３】上チャックを下方から見た平面図である。
【図１４】下チャックを上方から見た平面図である。
【図１５】ウェハ接合処理の主な工程を示すフローチャートである。
【図１６】上部撮像部と下部撮像部の水平方向位置を調節する様子を示す説明図である。
【図１７】上チャックと下チャックの水平方向位置を調節する様子を示す説明図である。
【図１８】上チャックと下チャックの水平方向位置を調節する様子を示す説明図である。
【図１９】上チャックと下チャックの鉛直方向位置を調節する様子を示す説明図である。
【図２０】上チャックと下チャックの鉛直方向位置を調節した様子を示す説明図である。
【図２１】上ウェハの中心部と下ウェハの中心部を押圧して当接させる様子を示す説明図である。
【図２２】従来において下チャックで下ウェハを吸着保持した状態で、上ウェハと下ウェハを接合する様子を示す説明図である。
【図２３】本実施の形態において下チャックによる下ウェハの真空引きを停止した状態で、上ウェハと下ウェハを接合する様子を示す説明図である。
【図２４】上ウェハを下ウェハに順次当接させる様子を示す説明図である。
【図２５】上ウェハの表面と下ウェハの表面を当接させた様子を示す説明図である。
【図２６】上ウェハと下ウェハが接合された様子を示す説明図である。
【図２７】本実施の形態の効果を説明する説明図である。
【図２８】他の実施の形態において上ウェハの中心部と下ウェハの中心部を押圧して当接させる様子を示す説明図である。
【発明を実施するための形態】
【００２４】
以下、本発明の実施の形態について説明する。図１は、本実施の形態にかかる接合システム１の構成の概略を示す平面図である。図２は、接合システム１の内部構成の概略を示す側面図である。
【００２５】
接合システム１では、図３に示すように例えば２枚の基板としてのウェハＷＵ、ＷＬを接合する。以下、上側に配置されるウェハを、第１の基板としての「上ウェハＷＵ」といい、下側に配置されるウェハを、第２の基板としての「下ウェハＷＬ」という。また、上ウェハＷＵが接合される接合面を「表面ＷＵ１」といい、当該表面ＷＵ１と反対側の面を「裏面ＷＵ２」という。同様に、下ウェハＷＬが接合される接合面を「表面ＷＬ１」といい、当該表面ＷＬ１と反対側の面を「裏面ＷＬ２」という。そして、接合システム１では、上ウェハＷＵと下ウェハＷＬを接合して、重合基板としての重合ウェハＷＴを形成する。
【００２６】
本実施の形態においては、上ウェハＷＵは製品となる半導体ウェハであって、例えば表面ＷＵ１に複数の電子回路等を備えたデバイスが形成されている。同様に下ウェハＷＬも製品となる半導体ウェハであって、例えば表面ＷＬ１に複数の電子回路等を備えたデバイスが形成されている。また、上ウェハＷＵと下ウェハＷＬには、例えばシリコンウェハが用いられる。
【００２７】
接合システム１は、図１に示すように例えば外部との間で複数のウェハＷＵ、ＷＬ、複数の重合ウェハＷＴをそれぞれ収容可能なカセットＣＵ、ＣＬ、ＣＴが搬入出される搬入出ステーション２と、ウェハＷＵ、ＷＬ、重合ウェハＷＴに対して所定の処理を施す各種処理装置を備えた処理ステーション３とを一体に接続した構成を有している。
【００２８】
搬入出ステーション２には、カセット載置台１０が設けられている。カセット載置台１０には、複数、例えば４つのカセット載置板１１が設けられている。カセット載置板１１は、水平方向のＸ方向（図１中の上下方向）に一列に並べて配置されている。これらのカセット載置板１１には、接合システム１の外部に対してカセットＣＵ、ＣＬ、ＣＴを搬入出する際に、カセットＣＵ、ＣＬ、ＣＴを載置することができる。このように、搬入出ステーション２は、複数の上ウェハＷＵ、複数の下ウェハＷＬ、複数の重合ウェハＷＴを保有可能に構成されている。なお、カセット載置板１１の個数は、本実施の形態に限定されず、任意に決定することができる。また、カセットの１つを異常ウェハの回収用として用いてもよい。すなわち、種々の要因で上ウェハＷＵと下ウェハＷＬとの接合に異常が生じたウェハを、他の正常な重合ウェハＷＴと分離することができるカセットである。本実施の形態においては、複数のカセットＣＴのうち、１つのカセットＣＴを異常ウェハの回収用として用い、他のカセットＣＴを正常な重合ウェハＷＴの収容用として用いている。
【００２９】
搬入出ステーション２には、カセット載置台１０に隣接してウェハ搬送部２０が設けられている。ウェハ搬送部２０には、Ｘ方向に延伸する搬送路２１上を移動自在なウェハ搬送装置２２が設けられている。ウェハ搬送装置２２は、鉛直方向及び鉛直軸周り（θ方向）にも移動自在であり、各カセット載置板１１上のカセットＣＵ、ＣＬ、ＣＴと、後述する処理ステーション３の第３の処理ブロックＧ３のトランジション装置５０、５１との間でウェハＷＵ、ＷＬ、重合ウェハＷＴを搬送できる。
【００３０】
処理ステーション３には、各種装置を備えた複数例えば３つの処理ブロックＧ１、Ｇ２、Ｇ３が設けられている。例えば処理ステーション３の正面側（図１のＸ方向負方向側）には、第１の処理ブロックＧ１が設けられ、処理ステーション３の背面側（図１のＸ方向正方向側）には、第２の処理ブロックＧ２が設けられている。また、処理ステーション３の搬入出ステーション２側（図１のＹ方向負方向側）には、第３の処理ブロックＧ３が設けられている。
【００３１】
例えば第１の処理ブロックＧ１には、ウェハＷＵ、ＷＬの表面ＷＵ１、ＷＬ１を改質する表面改質装置３０が配置されている。表面改質装置３０では、例えば減圧雰囲気下において、処理ガスである酸素ガス又は窒素ガスが励起されてプラズマ化され、イオン化される。この酸素イオン又は窒素イオンが表面ＷＵ１、ＷＬ１に照射されて、表面ＷＵ１、ＷＬ１がプラズマ処理され、改質される。
【００３２】
例えば第２の処理ブロックＧ２には、例えば純水によってウェハＷＵ、ＷＬの表面ＷＵ１、ＷＬ１を親水化すると共に当該表面ＷＵ１、ＷＬ１を洗浄する表面親水化装置４０、ウェハＷＵ、ＷＬを接合する接合装置４１が、搬入出ステーション２側からこの順で水平方向のＹ方向に並べて配置されている。
【００３３】
表面親水化装置４０では、例えばスピンチャックに保持されたウェハＷＵ、ＷＬを回転させながら、当該ウェハＷＵ、ＷＬ上に純水を供給する。そうすると、供給された純水はウェハＷＵ、ＷＬの表面ＷＵ１、ＷＬ１上を拡散し、表面ＷＵ１、ＷＬ１が親水化される。なお、接合装置４１の構成については後述する。
【００３４】
例えば第３の処理ブロックＧ３には、図２に示すようにウェハＷＵ、ＷＬ、重合ウェハＷＴのトランジション装置５０、５１が下から順に２段に設けられている。
【００３５】
図１に示すように第１の処理ブロックＧ１〜第３の処理ブロックＧ３に囲まれた領域には、ウェハ搬送領域６０が形成されている。ウェハ搬送領域６０には、例えばウェハ搬送装置６１が配置されている。
【００３６】
ウェハ搬送装置６１は、例えば鉛直方向、水平方向（Ｙ方向、Ｘ方向）及び鉛直軸周りに移動自在な搬送アームを有している。ウェハ搬送装置６１は、ウェハ搬送領域６０内を移動し、周囲の第１の処理ブロックＧ１、第２の処理ブロックＧ２及び第３の処理ブロックＧ３内の所定の装置にウェハＷＵ、ＷＬ、重合ウェハＷＴを搬送できる。
【００３７】
以上の接合システム１には、図１に示すように制御部７０が設けられている。制御部７０は、例えばコンピュータであり、プログラム格納部（図示せず）を有している。プログラム格納部には、接合システム１におけるウェハＷＵ、ＷＬ、重合ウェハＷＴの処理を制御するプログラムが格納されている。また、プログラム格納部には、上述の各種処理装置や搬送装置などの駆動系の動作を制御して、接合システム１における後述のウェハ接合処理を実現させるためのプログラムも格納されている。なお、前記プログラムは、例えばコンピュータ読み取り可能なハードディスク（ＨＤ）、フレキシブルディスク（ＦＤ）、コンパクトディスク（ＣＤ）、マグネットオプティカルデスク（ＭＯ）、メモリーカードなどのコンピュータに読み取り可能な記憶媒体Ｈに記録されていたものであって、その記憶媒体Ｈから制御部７０にインストールされたものであってもよい。
【００３８】
次に、上述した接合装置４１の構成について説明する。接合装置４１は、図４に示すように内部を密閉可能な処理容器１００を有している。処理容器１００のウェハ搬送領域６０側の側面には、ウェハＷＵ、ＷＬ、重合ウェハＷＴの搬入出口１０１が形成され、当該搬入出口１０１には開閉シャッタ１０２が設けられている。
【００３９】
処理容器１００の内部は、内壁１０３によって、搬送領域Ｔ１と処理領域Ｔ２に区画されている。上述した搬入出口１０１は、搬送領域Ｔ１における処理容器１００の側面に形成されている。また、内壁１０３にも、ウェハＷＵ、ＷＬ、重合ウェハＷＴの搬入出口１０４が形成されている。
【００４０】
搬送領域Ｔ１のＸ方向正方向側には、ウェハＷＵ、ＷＬ、重合ウェハＷＴを一時的に載置するためのトランジション１１０が設けられている。トランジション１１０は、例えば２段に形成され、ウェハＷＵ、ＷＬ、重合ウェハＷＴのいずれか２つを同時に載置することができる。
【００４１】
搬送領域Ｔ１には、ウェハ搬送機構１１１が設けられている。ウェハ搬送機構１１１は、図４及び図５に示すように例えば鉛直方向、水平方向（Ｙ方向、Ｘ方向）及び鉛直軸周りに移動自在な搬送アームを有している。そして、ウェハ搬送機構１１１は、搬送領域Ｔ１内、又は搬送領域Ｔ１と処理領域Ｔ２との間でウェハＷＵ、ＷＬ、重合ウェハＷＴを搬送できる。
【００４２】
搬送領域Ｔ１のＸ方向負方向側には、ウェハＷＵ、ＷＬの水平方向の向きを調節する位置調節機構１２０が設けられている。位置調節機構１２０は、図６に示すように基台１２１と、ウェハＷＵ、ＷＬをピンチャック方式で保持し、且つ回転させる保持部１２２と、ウェハＷＵ、ＷＬのノッチ部の位置を検出する検出部１２３と、を有している。なお、保持部１２２のピンチャック方式は、後述する上チャック１４０と下チャック１４１におけるピンチャック方式と同様であるので説明を省略する。そして、位置調節機構１２０では、保持部１２２に保持されたウェハＷＵ、ＷＬを回転させながら検出部１２３でウェハＷＵ、ＷＬのノッチ部の位置を検出することで、当該ノッチ部の位置を調節してウェハＷＵ、ＷＬの水平方向の向きを調節している。なお、保持部１２２がウェハＷＵ、ＷＬを保持する方式は本実施の形態のピンチャック方式に限定されず、種々の方式を用いることができる。
【００４３】
また、搬送領域Ｔ１には、図４及び図５に示すように上ウェハＷＵの表裏面を反転させる反転機構１３０が設けられている。反転機構１３０は、図７〜図９に示すように上ウェハＷＵを保持する保持アーム１３１を有している。保持アーム１３１は、水平方向（図７及び図８中のＹ方向）に延伸している。また保持アーム１３１には、上ウェハＷＵを保持する保持部材１３２が例えば４箇所に設けられている。保持部材１３２は、図１０に示すように保持アーム１３１に対して水平方向に移動可能に構成されている。また保持部材１３２の側面には、上ウェハＷＵの外周部を保持するための切り欠き１３３が形成されている。そして、これら保持部材１３２は、上ウェハＷＵを挟み込んで保持することができる。
【００４４】
保持アーム１３１は、図７〜図９に示すように例えばモータなどを備えた第１の駆動部１３４に支持されている。この第１の駆動部１３４によって、保持アーム１３１は水平軸周りに回動自在である。また保持アーム１３１は、第１の駆動部１３４を中心に回動自在であると共に、水平方向（図７及び図８中のＹ方向）に移動自在である。第１の駆動部１３４の下方には、例えばモータなどを備えた第２の駆動部１３５が設けられている。この第２の駆動部１３５によって、第１の駆動部１３４は鉛直方向に延伸する支持柱１３６に沿って鉛直方向に移動できる。このように第１の駆動部１３４と第２の駆動部１３５によって、保持部材１３２に保持された上ウェハＷＵは、水平軸周りに回動できると共に鉛直方向及び水平方向に移動できる。また、保持部材１３２に保持された上ウェハＷＵは、第１の駆動部１３４を中心に回動して、位置調節機構１２０から後述する上チャック１４０との間を移動できる。
【００４５】
処理領域Ｔ２には、図４及び図５に示すように上ウェハＷＵを下面で吸着保持する第１の保持部としての上チャック１４０と、下ウェハＷＬを上面で載置して吸着保持する第２の保持部としての下チャック１４１とが設けられている。下チャック１４１は、上チャック１４０の下方に設けられ、上チャック１４０と対向配置可能に構成されている。すなわち、上チャック１４０に保持された上ウェハＷＵと下チャック１４１に保持された下ウェハＷＬは対向して配置可能となっている。
【００４６】
図４、図５及び図１１に示すように上チャック１４０は、当該上チャック１４０の上方に設けられた上チャック支持部１５０に支持されている。上チャック支持部１５０は、処理容器１００の天井面に設けられている。すなわち、上チャック１４０は、上チャック支持部１５０を介して処理容器１００に固定されて設けられている。
【００４７】
上チャック支持部１５０には、下チャック１４１に保持された下ウェハＷＬの表面ＷＬ１を撮像する上部撮像部１５１が設けられている。すなわち、上部撮像部１５１は上チャック１４０に隣接して設けられている。上部撮像部１５１には、例えばＣＣＤカメラが用いられる。
【００４８】
図４、図５及び図１１に示すように下チャック１４１は、当該下チャック１４１の下方に設けられた第１の下チャック移動部１６０に支持されている。第１の下チャック移動部１６０は、後述するように下チャック１４１を水平方向（Ｙ方向）に移動させるように構成されている。また、第１の下チャック移動部１６０は、下チャック１４１を鉛直方向に移動自在、且つ鉛直軸回りに回転可能に構成されている。
【００４９】
第１の下チャック移動部１６０には、上チャック１４０に保持された上ウェハＷＵの表面ＷＵ１を撮像する下部撮像部１６１が設けられている。すなわち、下部撮像部１６１は下チャック１４１に隣接して設けられている。下部撮像部１６１には、例えばＣＣＤカメラが用いられる。
【００５０】
図４、図５及び図１１に示すように第１の下チャック移動部１６０は、当該第１の下チャック移動部１６０の下面側に設けられ、水平方向（Ｙ方向）に延伸する一対のレール１６２、１６２に取り付けられている。そして、第１の下チャック移動部１６０は、レール１６２に沿って移動自在に構成されている。
【００５１】
一対のレール１６２、１６２は、第２の下チャック移動部１６３に配設されている。第２の下チャック移動部１６３は、当該第２の下チャック移動部１６３の下面側に設けられ、水平方向（Ｘ方向）に延伸する一対のレール１６４、１６４に取り付けられている。そして、第２の下チャック移動部１６３は、レール１６４に沿って移動自在に構成され、すなわち下チャック１４１を水平方向（Ｘ方向）に移動させるように構成されている。なお、一対のレール１６４、１６４は、処理容器１００の底面に設けられた載置台１６５上に配設されている。
【００５２】
次に、接合装置４１の上チャック１４０と下チャック１４１の詳細な構成について説明する。
【００５３】
上チャック１４０には、図１２及び図１３に示すようにピンチャック方式が採用されている。上チャック１４０は、平面視において少なくとも上ウェハＷＵより大きい径を有する本体部１７０を有している。本体部１７０の下面には、上ウェハＷＵの裏面ＷＵ２に接触する複数のピン１７１が設けられている。また本体部１７０の下面には、上ウェハＷＵの裏面ＷＵ２の外周部を支持する外壁部１７２が設けられている。外壁部１７２は、複数のピン１７１の外側に環状に設けられている。
【００５４】
また、本体部１７０の下面には、外壁部１７２の内側において隔壁部１７３が設けられている。隔壁部１７３は、外壁部１７２と同心円状に環状に設けられている。そして、外壁部１７２の内側の領域１７４（以下、吸引領域１７４という場合がある。）は、隔壁部１７３の内側の第１の吸引領域１７４ａと、隔壁部１７３の外側の第２の吸引領域１７４ｂとに区画されている。
【００５５】
本体部１７０の下面には、第１の吸引領域１７４ａにおいて、上ウェハＷＵを真空引きするための第１の吸引口１７５ａが形成されている。第１の吸引口１７５ａは、例えば第１の吸引領域１７４ａにおいて２箇所に形成されている。第１の吸引口１７５ａには、本体部１７０の内部に設けられた第１の吸引管１７６ａが接続されている。さらに第１の吸引管１７６ａには、継手を介して第１の真空ポンプ１７７ａが接続されている。
【００５６】
また、本体部１７０の下面には、第２の吸引領域１７４ｂにおいて、上ウェハＷＵを真空引きするための第２の吸引口１７５ｂが形成されている。第２の吸引口１７５ｂは、例えば第２の吸引領域１７４ｂにおいて２箇所に形成されている。第２の吸引口１７５ｂには、本体部１７０の内部に設けられた第２の吸引管１７６ｂが接続されている。さらに第２の吸引管１７６ｂには、継手を介して第２の真空ポンプ１７７ｂが接続されている。
【００５７】
そして、上ウェハＷＵ、本体部１７０及び外壁部１７２に囲まれて形成された吸引領域１７４ａ、１７４ｂをそれぞれ吸引口１７５ａ、１７５ｂから真空引きし、吸引領域１７４ａ、１７４ｂを減圧する。このとき、吸引領域１７４ａ、１７４ｂの外部の雰囲気が大気圧であるため、上ウェハＷＵは減圧された分だけ大気圧によって吸引領域１７４ａ、１７４ｂ側に押され、上チャック１４０に上ウェハＷＵが吸着保持される。また、上チャック１４０は、第１の吸引領域１７４ａと第２の吸引領域１７４ｂ毎に上ウェハＷＵを真空引き可能に構成されている。
【００５８】
また、外壁部１７２が上ウェハＷＵの裏面ＷＵ２の外周部を支持するので、上ウェハＷＵはその外周部まで適切に真空引きされる。このため、上チャック１４０に上ウェハＷＵの全面が吸着保持され、当該上ウェハＷＵの平面度を小さくして、上ウェハＷＵを平坦にすることができる。
【００５９】
しかも、複数のピン１７１の高さが均一なので、上チャック１４０の下面の平面度をさらに小さくすることができる。このように上チャック１４０の下面を平坦にして（下面の平面度を小さくして）、上チャック１４０に保持された上ウェハＷＵの鉛直方向の歪みを抑制することができる。
【００６０】
また、上ウェハＷＵの裏面ＷＵ２は複数のピン１７１に支持されているので、上チャック１４０による上ウェハＷＵの真空引きを解除する際、当該上ウェハＷＵが上チャック１４０から剥がれ易くなる。
【００６１】
上チャック１４０において、本体部１７０の中心部には、当該本体部１７０を厚み方向に貫通する貫通孔１７８が形成されている。この本体部１７０の中心部は、上チャック１４０に吸着保持される上ウェハＷＵの中心部に対応している。そして貫通孔１７８には、後述する押動部材１８０におけるアクチュエータ部１８１の先端部が挿通するようになっている。
【００６２】
上チャック１４０の上面には、上ウェハＷＵの中心部を押圧する押動部材１８０が設けられている。押動部材１８０は、アクチュエータ部１８１とシリンダ部１８２とを有している。
【００６３】
アクチュエータ部１８１は、電空レギュレータ（図示せず）から供給される空気により一定方向に一定の圧力を発生させるもので、圧力の作用点の位置によらず当該圧力を一定に発生させることができる。そして、電空レギュレータからの空気によって、アクチュエータ部１８１は、上ウェハＷＵの中心部と当接して当該上ウェハＷＵの中心部にかかる押圧荷重を制御することができる。また、アクチュエータ部１８１の先端部は、電空レギュレータからの空気によって、貫通孔１７８を挿通して鉛直方向に昇降自在になっている。
【００６４】
アクチュエータ部１８１は、シリンダ部１８２に支持されている。シリンダ部１８２は、例えばモータを内蔵した駆動部によってアクチュエータ部１８１を鉛直方向に移動させることができる。
【００６５】
以上のように押動部材１８０は、アクチュエータ部１８１によって押圧荷重の制御をし、シリンダ部１８２によってアクチュエータ部１８１の移動の制御をしている。そして、押動部材１８０は、後述するウェハＷＵ、ＷＬの接合時に、上ウェハＷＵの中心部と下ウェハＷＬの中心部とを当接させて押圧することができる。
【００６６】
下チャック１４１には、図１２及び図１４に示すように上チャック１４０と同様にピンチャック方式が採用されている。下チャック１４１は、平面視において少なくとも下ウェハＷＬより大きい径を有する本体部１９０を有している。本体部１９０の上面には、下ウェハＷＬの裏面ＷＬ２に接触する複数のピン１９１が設けられている。また本体部１９０の上面には、下ウェハＷＬの裏面ＷＬ２の外周部を支持する外壁部１９２が設けられている。外壁部１９２は、複数のピン１９１の外側に環状に設けられている。
【００６７】
また、本体部１９０の上面には、外壁部１９２の内側において隔壁部１９３が設けられている。隔壁部１９３は、外壁部１９２と同心円状に環状に設けられている。そして、外壁部１９２の内側の領域１９４（以下、吸引領域１９４という場合がある。）は、隔壁部１９３の内側の第１の吸引領域１９４ａと、隔壁部１９３の外側の第２の吸引領域１９４ｂとに区画されている。
【００６８】
本体部１９０の上面には、第１の吸引領域１９４ａにおいて、下ウェハＷＬを真空引きするための第１の吸引口１９５ａが形成されている。第１の吸引口１９５ａは、例えば第１の吸引領域１９４ａにおいて２箇所に形成されている。第１の吸引口１９５ａには、本体部１９０の内部に設けられた第１の吸引管１９６ａが接続されている。さらに第１の吸引管１９６ａには、継手を介して第１の真空ポンプ１９７ａが接続されている。
【００６９】
また、本体部１９０の上面には、第２の吸引領域１９４ｂにおいて、下ウェハＷＬを真空引きするための第２の吸引口１９５ｂが形成されている。第２の吸引口１９５ｂは、例えば第２の吸引領域１９４ｂにおいて２箇所に形成されている。第２の吸引口１９５ｂには、本体部１９０の内部に設けられた第２の吸引管１９６ｂが接続されている。さらに第２の吸引管１９６ｂには、継手を介して第２の真空ポンプ１９７ｂが接続されている。
【００７０】
そして、下ウェハＷＬ、本体部１９０及び外壁部１９２に囲まれて形成された吸引領域１９４ａ、１９４ｂをそれぞれ吸引口１９５ａ、１９５ｂから真空引きし、吸引領域１９４ａ、１９４ｂを減圧する。このとき、吸引領域１９４ａ、１９４ｂの外部の雰囲気が大気圧であるため、下ウェハＷＬは減圧された分だけ大気圧によって吸引領域１９４ａ、１９４ｂ側に押され、下チャック１４１に下ウェハＷＬが吸着保持される。また、下チャック１４１は、第１の吸引領域１９４ａと第２の吸引領域１９４ｂ毎に下ウェハＷＬを真空引き可能に構成されている。
【００７１】
また、外壁部１９２が下ウェハＷＬの裏面ＷＬ２の外周部を支持するので、下ウェハＷＬはその外周部まで適切に真空引きされる。このため、下チャック１４１に下ウェハＷＬの全面が吸着保持され、当該下ウェハＷＬの平面度を小さくして、下ウェハＷＬを平坦にすることができる。
【００７２】
しかも、複数のピン１９１の高さが均一なので、下チャック１４１の上面の平面度をさらに小さくすることができる。また例えば処理容器１００内にパーティクルが存在する場合でも、隣り合うピン１９１の間隔が適切であるため、下チャック１４１の上面にパーティクルが存在するのを抑制することができる。このように下チャック１４１の上面を平坦にして（上面の平坦度を小さくして）、下チャック１４１に保持された下ウェハＷＬの鉛直方向の歪みを抑制することができる。
【００７３】
また、下ウェハＷＬの裏面ＷＬ２は複数のピン１９１に支持されているので下チャック１４１による下ウェハＷＬの真空引きを解除する際、当該下ウェハＷＬが下チャック１４１から剥がれ易くなる。
【００７４】
下チャック１４１において、本体部１９０の中心部付近には、当該本体部１９０を厚み方向に貫通する貫通孔１９８が例えば３箇所に形成されている。そして貫通孔１９８には、第１の下チャック移動部１６０の下方に設けられた昇降ピンが挿通するようになっている。
【００７５】
本体部１９０の外周部には、ウェハＷＵ、ＷＬ、重合ウェハＷＴが下チャック１４１から飛び出したり、滑落するのを防止するガイド部材１９９が設けられている。ガイド部材１９９は、本体部１９０の外周部に複数個所、例えば４箇所に等間隔に設けられている。
【００７６】
なお、接合装置４１における各部の動作は、上述した制御部７０によって制御される。
【００７７】
次に、以上のように構成された接合システム１を用いて行われるウェハＷＵ、ＷＬの接合処理方法について説明する。図１５は、かかるウェハ接合処理の主な工程の例を示すフローチャートである。
【００７８】
先ず、複数枚の上ウェハＷＵを収容したカセットＣＵ、複数枚の下ウェハＷＬを収容したカセットＣＬ、及び空のカセットＣＴが、搬入出ステーション２の所定のカセット載置板１１に載置される。その後、ウェハ搬送装置２２によりカセットＣＵ内の上ウェハＷＵが取り出され、処理ステーション３の第３の処理ブロックＧ３のトランジション装置５０に搬送される。
【００７９】
次に上ウェハＷＵは、ウェハ搬送装置６１によって第１の処理ブロックＧ１の表面改質装置３０に搬送される。表面改質装置３０では、所定の減圧雰囲気下において、処理ガスである酸素ガス又は窒素ガスが励起されてプラズマ化され、イオン化される。この酸素イオン又は窒素イオンが上ウェハＷＵの表面ＷＵ１に照射されて、当該表面ＷＵ１がプラズマ処理される。そして、上ウェハＷＵの表面ＷＵ１が改質される（図１５の工程Ｓ１）。
【００８０】
次に上ウェハＷＵは、ウェハ搬送装置６１によって第２の処理ブロックＧ２の表面親水化装置４０に搬送される。表面親水化装置４０では、スピンチャックに保持された上ウェハＷＵを回転させながら、当該上ウェハＷＵ上に純水を供給する。そうすると、供給された純水は上ウェハＷＵの表面ＷＵ１上を拡散し、表面改質装置３０において改質された上ウェハＷＵの表面ＷＵ１に水酸基（シラノール基）が付着して当該表面ＷＵ１が親水化される。また、当該純水によって、上ウェハＷＵの表面ＷＵ１が洗浄される（図１５の工程Ｓ２）。
【００８１】
次に上ウェハＷＵは、ウェハ搬送装置６１によって第２の処理ブロックＧ２の接合装置４１に搬送される。接合装置４１に搬入された上ウェハＷＵは、トランジション１１０を介してウェハ搬送機構１１１により位置調節機構１２０に搬送される。そして位置調節機構１２０によって、上ウェハＷＵの水平方向の向きが調節される（図１５の工程Ｓ３）。
【００８２】
その後、位置調節機構１２０から反転機構１３０の保持アーム１３１に上ウェハＷＵが受け渡される。続いて搬送領域Ｔ１において、保持アーム１３１を反転させることにより、上ウェハＷＵの表裏面が反転される（図１５の工程Ｓ４）。すなわち、上ウェハＷＵの表面ＷＵ１が下方に向けられる。
【００８３】
その後、反転機構１３０の保持アーム１３１が、第１の駆動部１３４を中心に回動して上チャック１４０の下方に移動する。そして、反転機構１３０から上チャック１４０に上ウェハＷＵが受け渡される。上ウェハＷＵは、上チャック１４０にその裏面ＷＵ２が吸着保持される（図１５の工程Ｓ５）。具体的には、真空ポンプ１７７ａ、１７７ｂを作動させ、吸引領域１７４ａ、１７４ｂをそれぞれ吸引口１７５ａ、１７５ｂから真空引きし、上ウェハＷＵが上チャック１４０に吸着保持される。
【００８４】
上ウェハＷＵに上述した工程Ｓ１〜Ｓ５の処理が行われている間、当該上ウェハＷＵに続いて下ウェハＷＬの処理が行われる。先ず、ウェハ搬送装置２２によりカセットＣＬ内の下ウェハＷＬが取り出され、処理ステーション３のトランジション装置５０に搬送される。
【００８５】
次に下ウェハＷＬは、ウェハ搬送装置６１によって表面改質装置３０に搬送され、下ウェハＷＬの表面ＷＬ１が改質される（図１５の工程Ｓ６）。なお、工程Ｓ６における下ウェハＷＬの表面ＷＬ１の改質は、上述した工程Ｓ１と同様である。
【００８６】
その後、下ウェハＷＬは、ウェハ搬送装置６１によって表面親水化装置４０に搬送され、下ウェハＷＬの表面ＷＬ１が親水化される共に当該表面ＷＬ１が洗浄される（図１５の工程Ｓ７）。なお、工程Ｓ７における下ウェハＷＬの表面ＷＬ１の親水化及び洗浄は、上述した工程Ｓ２と同様である。
【００８７】
その後、下ウェハＷＬは、ウェハ搬送装置６１によって接合装置４１に搬送される。接合装置４１に搬入された下ウェハＷＬは、トランジション１１０を介してウェハ搬送機構１１１により位置調節機構１２０に搬送される。そして位置調節機構１２０によって、下ウェハＷＬの水平方向の向きが調節される（図１５の工程Ｓ８）。
【００８８】
その後、下ウェハＷＬは、ウェハ搬送機構１１１によって下チャック１４１に搬送され、下チャック１４１にその裏面ＷＬ２が吸着保持される（図１５の工程Ｓ９）。具体的には、真空ポンプ１９７ａ、１９７ｂを作動させ、吸引領域１９４ａ、１９４ｂをそれぞれ吸引口１９５ａ、１９５ｂから真空引きし、下ウェハＷＬが下チャック１４１に吸着保持される。
【００８９】
次に、図１６に示すように上部撮像部１５１と下部撮像部１６１の水平方向位置の調節を行う。具体的には、下部撮像部１６１が上部撮像部１５１の略下方に位置するように、第１の下チャック移動部１６０と第２の下チャック移動部１６３によって下チャック１４１を水平方向（Ｘ方向及びＹ方向）に移動させる。そして、上部撮像部１５１と下部撮像部１６１で共通のターゲットＴを確認し、上部撮像部１５１と下部撮像部１６１の水平方向位置が一致するように、下部撮像部１６１の水平方向位置が調節される。このとき、上部撮像部１５１は処理容器１００に固定されているので、下部撮像部１６１のみを移動させればよく、上部撮像部１５１と下部撮像部１６１の水平方向位置を適切に調節できる。
【００９０】
次に、図１７に示すように第１の下チャック移動部１６０によって下チャック１４１を鉛直上方に移動させた後、上チャック１４０と下チャック１４１の水平方向位置の調節を行い、当該上チャック１４０に保持された上ウェハＷＵと下チャック１４１に保持された下ウェハＷＬとの水平方向位置の調節を行う。
【００９１】
なお、上ウェハＷＵの表面ＷＵ１には予め定められた複数、例えば３点の基準点Ａ１〜Ａ３が形成され、同様に下ウェハＷＬの表面ＷＬ１には予め定められた複数、例えば３点の基準点Ｂ１〜Ｂ３が形成されている。基準点Ａ１、Ａ３とＢ１、Ｂ３はそれぞれウェハＷＵ、ＷＬの外周部の基準点であり、基準点Ａ２とＢ２はそれぞれウェハＷＵ、ＷＬの中心部の基準点である。なお、これら基準点Ａ１〜Ａ３、Ｂ１〜Ｂ３としては、例えばウェハＷＬ、ＷＵ上に形成された所定のパターンがそれぞれ用いられる。
【００９２】
図１７及び図１８に示すように、第１の下チャック移動部１６０と第２の下チャック移動部１６３によって下チャック１４１を水平方向（Ｘ方向及びＹ方向）に移動させ、上部撮像部１５１を用いて下ウェハＷＬの表面ＷＬ１の基準点Ｂ１〜Ｂ３を順次撮像する。同時に、下部撮像部１６１を用いて上ウェハＷＵの表面ＷＵ１の基準点Ａ１〜Ａ３を順次撮像する。撮像された画像は、制御部７０に出力される。制御部７０では、上部撮像部１５１で撮像された画像と下部撮像部１６１で撮像された画像に基づいて、上ウェハＷＵの基準点Ａ１〜Ａ３と下ウェハＷＬの基準点Ｂ１〜Ｂ３がそれぞれ合致するような位置に、第１の下チャック移動部１６０と第２の下チャック移動部１６３によって下チャック１４１を移動させる。こうして上ウェハＷＵと下ウェハＷＬの水平方向位置が調節される（図１５の工程Ｓ１０）。このとき、上チャック１４０は処理容器１００に固定されているので、下チャック１４１のみを移動させればよく、上チャック１４０と下チャック１４１の水平方向位置を適切に調節でき、上ウェハＷＵと下ウェハＷＬとの水平方向位置を適切に調節できる。
【００９３】
その後、図１９に示すように第１の下チャック移動部１６０によって下チャック１４１を鉛直上方に移動させて、上チャック１４０と下チャック１４１の鉛直方向位置の調節を行い、当該上チャック１４０に保持された上ウェハＷＵと下チャック１４１に保持された下ウェハＷＬとの鉛直方向位置の調節を行う（図１５の工程Ｓ１１）。このとき、下ウェハＷＬの表面ＷＬ１と上ウェハＷＵの表面ＷＵ１との間の間隔は所定の距離、例えば５０μｍ〜２００μｍになっている。また、図２０に示すように上ウェハＷＵは吸引口１７５ａ、１７５ｂから真空引きされ、下ウェハＷＬは吸引口１９５ａ、１９５ｂから真空引きされている。
【００９４】
次に、上チャック１４０に保持された上ウェハＷＵと下チャック１４１に保持された下ウェハＷＬの接合処理が行われる。
【００９５】
先ず、図２１に示すように押動部材１８０のシリンダ部１８２によってアクチュエータ部１８１を下降させる。そうすると、このアクチュエータ部１８１の下降に伴い、上ウェハＷＵの中心部が押圧されて下降する。このとき、電空レギュレータから供給される空気によって、アクチュエータ部１８１には、所定の押圧荷重、例えば２００ｇ〜２５０ｇがかけられる。そして、押動部材１８０によって、上ウェハＷＵの中心部と下ウェハＷＬの中心部を押圧して当接させる（図１５の工程Ｓ１２）。
【００９６】
そうすると、押圧された上ウェハＷＵの中心部と下ウェハＷＬの中心部との間で接合が開始する（図２１中の太線部）。すなわち、上ウェハＷＵの表面ＷＵ１と下ウェハＷＬの表面ＷＬ１はそれぞれ工程Ｓ１、Ｓ６において改質されているため、先ず、表面ＷＵ１、ＷＬ１間にファンデルワールス力（分子間力）が生じ、当該表面ＷＵ１、ＷＬ１同士が接合される。さらに、上ウェハＷＵの表面ＷＵ１と下ウェハＷＬの表面ＷＬ１はそれぞれ工程Ｓ２、Ｓ７において親水化されているため、表面ＷＵ１、ＷＬ１間の親水基が水素結合し（分子間力）、表面ＷＵ１、ＷＬ１同士が強固に接合される。
【００９７】
この工程Ｓ１２では、上チャック１４０において、第１の真空ポンプ１７７ａの作動を停止して、第１の吸引領域１７４ａにおける第１の吸引口１７５ａからの上ウェハＷＵの真空引きを停止すると共に、第２の真空ポンプ１７７ｂは作動させたままにし、第２の吸引領域１７４ｂを第２の吸引口１７５ｂから真空引きする。そして、押動部材１８０で上ウェハＷＵの中心部を押圧する際にも、上チャック１４０によって上ウェハＷＵの外周部を保持することができる。
【００９８】
その後、図２１に示すように下チャック１４１において、真空ポンプ１９７ａ、１９７ｂの作動を停止して、吸引領域１９４ａ、１９４ｂにおける吸引口１９５ａ、１９５ｂからの下ウェハＷＬの真空引きを停止する（図１８の工程Ｓ１３）。
【００９９】
ここで、従来においては、図２２に示すように上ウェハＷＵの中心部と下ウェハＷＬの中心部を当接させた後も、下チャック１４１によって下ウェハＷＬを吸着保持していた。すなわち、下ウェハＷＬは平坦になっていた。一方、上ウェハＷＵは、押動部材１８０によってその中央部が押圧されて下ウェハＷＬ側に下降しているので、上ウェハＷＵには伸びＤＵが生じる。そうすると、上ウェハＷＵと下ウェハＷＬが接合される部分（図２２中の点線部分）において、上ウェハＷＵの曲率と下ウェハＷＬの曲率が異なり、伸び量も異なる。また、上ウェハＷＵと下ウェハＷＬには向かい合う接合力ＦＵ（分子間力）と接合力ＦＬ（分子間力）が作用するが、このうち上ウェハＷＵの接合力ＦＵには、当該上ウェハＷＵが伸びる方向（伸びＤＵが生じる方向）の力も作用する。すなわち、対向する上ウェハＷＵの接合力ＦＵと下ウェハＷＬの接合力ＦＬの方向がずれる。このように上ウェハＷＵと下ウェハＷＬでは、その伸び量と接合力の作用する方向が異なるため、水平方向の位置ずれ（スケーリング）が生じる。
【０１００】
これに対して、本実施の形態では、図２３に示すように上ウェハＷＵの中心部と下ウェハＷＬの中心部を当接させた後、下チャック１４１による下ウェハＷＬの真空引きを停止している。上述したように下ウェハＷＬの表面ＷＬ１にはデバイスが形成されているため、当該下ウェハＷＬに拘束力が作用しない通常状態では、若干程度反る。そうすると、上ウェハＷＵに生じる伸びＤＵと同様に、下ウェハＷＬにも伸びＤＬが生じる。すなわち、上ウェハＷＵと下ウェハＷＬが接合される部分（図２３中の点線部分）において、上ウェハＷＵの曲率と下ウェハＷＬの曲率を等しくでき、伸び量を等しくすることができる。また、上ウェハＷＵの接合力ＦＵに対する上ウェハＷＵが伸びる方向（伸びＤＵが生じる方向）と、下ウェハＷＬの接合力ＦＬに対する下ウェハＷＬが伸びる方向（伸びＤＬが生じる方向）とを同じ向きにすることができる。すなわち、上ウェハＷＵの接合力ＦＵと下ウェハＷＬの接合力ＦＬは同一直線上で作用する。このように上ウェハＷＵと下ウェハＷＬでは、その伸び量と接合力の作用する方向が同じになるため、水平方向の位置ずれ（スケーリング）を抑制することができる。
【０１０１】
その後、図２４に示すように押動部材１８０によって上ウェハＷＵの中心部と下ウェハＷＬの中心部を押圧した状態で第２の真空ポンプ１７７ｂの作動を停止して、第２の吸引領域１７４ｂにおける第２の吸引口１７５ｂからの上ウェハＷＵの真空引きを停止する（図１５の工程Ｓ１４）。そうすると、上ウェハＷＵが下ウェハＷＬ上に落下する。このとき、上ウェハＷＵの裏面ＷＵ２は複数のピン１７１に支持されているので、上チャック１４０による上ウェハＷＵの真空引きを解除した際、当該上ウェハＷＵが上チャック１４０から剥がれ易くなっている。そして上ウェハＷＵが下ウェハＷＬ上に順次落下して当接し、上述した表面ＷＵ１、ＷＬ１間のファンデルワールス力と水素結合による接合が順次拡がる。こうして、図２５に示すように上ウェハＷＵの表面ＷＵ１と下ウェハＷＬの表面ＷＬ１が全面で当接し、上ウェハＷＵと下ウェハＷＬが接合される（図１５の工程Ｓ１５）。
【０１０２】
その後、図２６に示すように押動部材１８０のアクチュエータ部１８１を上チャック１４０まで上昇させる。このとき、下ウェハＷＬの裏面ＷＬ２は複数のピン１９１に支持されているので、下チャック１４１による下ウェハＷＬの真空引きを解除した際、当該下ウェハＷＬが下チャック１４１から剥がれ易くなっている。
【０１０３】
上ウェハＷＵと下ウェハＷＬが接合された重合ウェハＷＴは、ウェハ搬送装置６１によってトランジション装置５１に搬送され、その後搬入出ステーション２のウェハ搬送装置２２によって所定のカセット載置板１１のカセットＣＴに搬送される。こうして、一連のウェハＷＵ、ＷＬの接合処理が終了する。
【０１０４】
以上の実施の形態によれば、工程Ｓ１２において上ウェハＷＵの中心部と下ウェハＷＬの中心部を当接させた後、工程Ｓ１３において下チャック１４１による下ウェハＷＬの真空引きを停止している。このとき、下ウェハＷＬは上ウェハＷＵ側に反る。そうすると、上ウェハＷＵと下ウェハＷＬが接合される部分において、上ウェハＷＵの曲率と下ウェハＷＬの曲率の差を等しくでき、上ウェハＷＵの伸び量と下ウェハＷＬの伸び量の差を等しくすることができる。上ウェハＷＵの接合力ＦＵに対する上ウェハＷＵが伸びる方向（伸びＤＵが生じる方向）と、下ウェハＷＬの接合力ＦＬに対する下ウェハＷＬが伸びる方向（伸びＤＬが生じる方向）とを同じ向きにすることができる。このため、上ウェハＷＵと下ウェハＷＬの水平方向の位置ずれを抑制することができる。以上のように本実施の形態によれば、上ウェハＷＵと下ウェハＷＬの水平方向の位置を適切に調節することができ、当該上ウェハＷＵと下ウェハＷＬの接合処理を適切に行うことができる。
【０１０５】
この本実施の形態における効果について、発明者らが検証を行った。図２７は上ウェハと下ウェハの水平方向の位置ずれを説明するための図面である。すなわち、重合ウェハＷＴ上には複数のパターンＰ、いわゆるボックスインボックスのパターンＰが形成されており、外ボックスＢＯに対する内ボックスＢＩのずれ量が、上ウェハＷＵと下ウェハＷＬの水平方向の位置ずれ量を示している。なお、図示の例では、図示の例では、重合ウェハＷＴの中心部のパターンＰと外周部における４つのパターンＰを示している。
【０１０６】
従来の方法、すなわち上ウェハＷＵの中心部と下ウェハＷＬの中心部を当接させた後も、下チャック１４１によって下ウェハＷＬを吸着保持して、上ウェハＷＵと下ウェハＷＬを接合した場合、重合ウェハＷＴの外周部のパターンＰでは、内ボックスＢＩは外ボックスＢＯに対して外方にずれて配置された（図２７の点線の内ボックス）。そして、そのずれ量を測定すると、両側の外周部のパターンＰ、Ｐにおけるずれ量の合計が１．５μｍ〜２．０μｍであった。これに対して、本実施の形態によれば、重合ウェハＷＴの外周部のパターンＰでも、内ボックスＢＩは外ボックスＢＯに対してほぼずれていない。そのずれ量を測定しても、両側の外周部のパターンＰ、Ｐにおけるずれ量の合計が０．０６μｍ〜０．０７μｍであった。したがって、本実施の形態によれば、上ウェハＷＵと下ウェハＷＬの水平方向の位置ずれを抑制することができる。
【０１０７】
なお、本実施の形態では、工程Ｓ１３において下チャック１４１による下ウェハＷＬの真空引きを停止した後、工程Ｓ１４において上チャック１４０による上ウェハＷＵの外周部の真空引きを停止している。この点、発明者らが鋭意検討した結果、上チャック１４０による上ウェハＷＵの外周部の真空引きを停止するタイミングは、上ウェハＷＵと下ウェハＷＬの水平方向の位置ずれに対して影響がないことが分かっている。したがって、下チャック１４１による下ウェハＷＬの真空引きを停止する際に、上チャック１４０による上ウェハＷＵの外周部の真空引きを停止してもよい。
【０１０８】
本実施の形態の接合システム１は、接合装置４１に加えて、ウェハＷＵ、ＷＬの表面ＷＵ１、ＷＬ１を改質する表面改質装置３０と、表面ＷＵ１、ＷＬ１を親水化すると共に当該表面ＷＵ１、ＷＬ１を洗浄する表面親水化装置４０も備えているので、一のシステム内でウェハＷＵ、ＷＬの接合を効率よく行うことができる。したがって、ウェハ接合処理のスループットをより向上させることができる。
【０１０９】
以上の実施の形態では、工程Ｓ１３において下チャック１４１の真空ポンプ１９７ａ、１９７ｂの作動を停止して、吸引領域１９４ａ、１９４ｂにおける吸引口１９５ａ、１９５ｂからの下ウェハＷＬの真空引きを停止していたが、図２８に示すように下ウェハＷＬの中心部のみを真空引きしてもよい。かかる場合、第２の真空ポンプ１９７ｂの作動を停止して、第２の吸引領域１９４ｂにおける第２の吸引口１９５ｂからの下ウェハＷＬの真空引きを停止すると共に、第１の真空ポンプ１９７ａは作動させたままにし、第１の吸引領域１９４ａを第１の吸引口１９５ａから真空引きする。
【０１１０】
本実施の形態においても、上ウェハＷＵの中心部と下ウェハＷＬの中心部を当接させた後、下ウェハＷＬの外周部の真空引きは停止しているので、上記実施の形態と同様の効果を享受でき、上ウェハＷＵと下ウェハＷＬの水平方向の位置ずれを抑制することができる。しかも、上ウェハＷＵの中心部と下ウェハＷＬの中心部を当接させた直後において、下チャック１４１で下ウェハＷＬの中心部を真空引きすることにより、上ウェハＷＵと下ウェハＷＬが水平方向（Ｘ方向、Ｙ方向、θ方向）に相対的に位置ずれするのを抑制することができる。したがって、上ウェハＷＵと下ウェハＷＬの接合処理をより適切に行うことができる。
【０１１１】
以上の実施の形態において、例えば上ウェハＷＵと下ウェハＷＬに異なるデバイスが形成され、当該上ウェハＷＵの大きさと下ウェハＷＬの大きさが異なる場合がある。かかる場合には、上ウェハＷＵの径を下ウェハＷＬの径より小さくするのが好ましい。上述したようにウェハＷＵ、ＷＬを接合する際、上ウェハＷＵの中心部は押動部材１８０によって押圧される。そうすると、上ウェハＷＵの径を下ウェハＷＬの径より小さくすることにより、上ウェハＷＵの伸び量と下ウェハＷＬの伸び量の差をより小さくすることができる。
【０１１２】
以上の実施の形態の接合装置４１では、上チャック１４０を処理容器１００に固定し、且つ下チャック１４１を水平方向及び鉛直方向に移動させていたが、反対に上チャック１４０を水平方向及び鉛直方向に移動させ、且つ下チャック１４１を処理容器１００に固定してもよい。但し、上チャック１４０を移動させる方が、移動機構が大掛かりになるため、上記実施の形態のように上チャック１４０を処理容器１００に固定する方が好ましい。
【０１１３】
以上の実施の形態の接合システム１において、接合装置４１でウェハＷＵ、ＷＬを接合した後、さらに接合された重合ウェハＷＴを所定の温度で加熱（アニール処理）してもよい。重合ウェハＷＴにかかる加熱処理を行うことで、接合界面をより強固に結合させることができる。
【０１１４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。本発明はこの例に限らず種々の態様を採りうるものである。本発明は、基板がウェハ以外のＦＰＤ（フラットパネルディスプレイ）、フォトマスク用のマスクレチクルなどの他の基板である場合にも適用できる。
【符号の説明】
【０１１５】
１    接合システム
２    搬入出ステーション
３    処理ステーション
３０  表面改質装置
４０  表面親水化装置
４１  接合装置
６１  ウェハ搬送装置
７０  制御部
１４０  上チャック
１４１  下チャック
１８０  押動部材
ＷＵ    上ウェハ
ＷＬ    下ウェハ
ＷＴ    重合ウェハ
【図１】
2015119088.tif 000003
【図２】
2015119088.tif 000004
【図３】
2015119088.tif 000005
【図４】
2015119088.tif 000006
【図５】
2015119088.tif 000007
【図６】
2015119088.tif 000008
【図７】
2015119088.tif 000009
【図８】
2015119088.tif 000010
【図９】
2015119088.tif 000011
【図１０】
2015119088.tif 000012
【図１１】
2015119088.tif 000013
【図１２】
2015119088.tif 000014
【図１３】
2015119088.tif 000015
【図１４】
2015119088.tif 000016
【図１５】
2015119088.tif 000017
【図１６】
2015119088.tif 000018
【図１７】
2015119088.tif 000019
【図１８】
2015119088.tif 000020
【図１９】
2015119088.tif 000021
【図２０】
2015119088.tif 000022
【図２１】
2015119088.tif 000023
【図２２】
2015119088.tif 000024
【図２３】
2015119088.tif 000025
【図２４】
2015119088.tif 000026
【図２５】
2015119088.tif 000027
【図２６】
2015119088.tif 000028
【図２７】
2015119088.tif 000029
【図２８】
2015119088.tif 000030